(57)【特許請求の範囲】
【請求項１】
外壁パネルを梁に対しブラケットを介して取り付ける外壁パネルの取付構造であって、
前記ブラケットは、
前記梁に固定される基部と、
前記梁から水平方向に離間した位置に前記外壁パネルを固定するための、前記梁の側面と平行な板面を有するパネル固定部と、
前記基部と前記パネル固定部を繋ぐブラケット本体と、
前記パネル固定部に垂直な板面を有して前記外壁パネルの下面に当接する下支部と、
を備え、
前記ブラケット本体は、上面視又は側面視で略コ字形状に形成されており、
前記下支部は、前記ブラケット本体に固定されていることを特徴とする外壁パネルの取付構造。
【請求項２】
外壁パネルを梁に対しブラケットを介して取り付ける外壁パネルの取付構造であって、
前記ブラケットは、
前記梁に固定される基部と、
前記梁から水平方向に離間した位置に前記外壁パネルを固定するための、前記梁の側面と平行な板面を有するパネル固定部と、
前記パネル固定部に垂直な板面を有して前記外壁パネルの下面に当接する下支部と、
を備え、
前記基部は、上面視又は側面視で略コ字形状に形成されており、
前記下支部は、前記基部に固定されていることを特徴とする外壁パネルの取付構造。
【請求項３】
請求項２に記載の外壁パネルの取付構造において、
前記下支部は、前記基部から垂下して形成されていることを特徴とする外壁パネルの取付構造。
【請求項４】
請求項３に記載の外壁パネルの取付構造において、
前記基部の下部に固定される第２ブラケットをさらに備え、
前記第２ブラケットは、前記基部に固定される第２基部と、
前記第２基部に固定されて、前記床梁から離間した位置に固定される幕板の下面に当接する第２下支部と、
を備え、
前記第２基部は、側面視で略コ字形状に形成されていることを特徴とする外壁パネルの取付構造。
【請求項５】
請求項４に記載の外壁パネルの取付構造において、
前記第２基部には、当該第２基部の各面に垂直な板面を有する補強板部が固定されていることを特徴とする外壁パネルの取付構造。
【請求項６】
請求項４又は５に記載の外壁パネルの取付構造において、
前記第２基部は、上面より下面が短く、
前記第２下支部は、側面視にて略Ｚ字形状に形成されており、当該第２下支部の上面部が前記第２基部の下面に固定されていることを特徴とする外壁パネルの取付構造。
【発明の詳細な説明】
【技術分野】
【０００１】
本発明は、外壁パネルの取付構造に係り、外壁パネルを梁に対しブラケットを介して取り付ける構造に関する。
【背景技術】
【０００２】
建物において、外壁パネルを梁に対しブラケットを介してボルトナットで取り付ける構造が広く知られている（例えば、特許文献１参照。）。
【先行技術文献】
【特許文献】
【０００３】
【特許文献１】特開平９−６０１６９号公報
【発明の概要】
【発明が解決しようとする課題】
【０００４】
ところで、外壁パネルの位置を前方にずらすように配置すれば、外壁パネルの裏側に断熱材を充填するための空隙を形成したり、建物外観の印象を変化させたりすることなどが可能になる。
このような設計の自由度を高めるために、外壁パネルを梁から離間させて任意の配置に設置したいという要望がある。
【０００５】
本発明の目的は、外壁パネルを梁から離間させた任意の配置に設置することが可能な外壁パネルの取付構造を提供することである。
【課題を解決するための手段】
【０００６】
以上の課題を解決するため、請求項１に記載の発明は、例えば図１〜図３、図６に示すように、
外壁パネル３０（幕板３０ａ）を梁（例えば天井梁１００、床梁２００など）に対しブラケット２０を介して取り付ける外壁パネルの取付構造であって、
前記ブラケット２０は、
前記梁（例えば天井梁１００、床梁２００など）に固定される基部２１と、
前記梁（例えば天井梁１００、床梁２００など）から水平方向に離間した位置に前記外壁パネル３０（幕板３０ａ）を固定するための、前記梁（例えば天井梁１００、床梁２００など）の側面と平行な板面を有するパネル固定部２２と、
前記基部２１と前記パネル固定部２２を繋ぐブラケット本体２３と、
前記パネル固定部２２に垂直な板面を有して前記外壁パネル３０（幕板３０ａ）の下面に当接する下支部２４と、
を備え、
前記ブラケット本体２３は、上面視又は側面視で略コ字形状に形成されており、
前記下支部２４は、前記ブラケット本体２３に固定されていることを特徴とする。
【０００７】
請求項１に記載の発明によれば、ブラケット２０を用いることで、外壁パネル３０（幕板３０ａ）を梁（例えば天井梁１００、床梁２００など）から離間させた任意の配置に設置することができる。
このような外壁パネルの取付構造であれば、建物の外壁（外壁パネル３０、幕板３０ａ）の一部を前方に突出させて、他の外壁よりも膨らんで見えるように建物外観の印象に変化をつけることができる。
また、外壁パネル３０（幕板３０ａ）を梁（例えば天井梁１００、床梁２００など）か
ら離間させたことで、外壁パネル３０（幕板３０ａ）の裏側に断熱材などを充填するための空隙を形成することもできる。
そして、上面視又は側面視で略コ字形状によってブラケット本体２３の剛性を高めることができ、外壁パネル３０（幕板３０ａ）をより安定した状態で取り付けることが可能になる。
さらに、ブラケット本体２３に固定した下支部２４で外壁パネル３０（幕板３０ａ）を支えることができるので、梁（例えば天井梁１００、床梁２００など）にブラケット２０を介して取り付けた外壁パネル３０（幕板３０ａ）の姿勢を安定させることができる。
【０００８】
請求項２に記載の発明は、例えば図１、図２、図１１〜図１３、図１５〜図１７に示すように、
外壁パネル３０（幕板３０ａ）を梁（例えば天井梁１００、床梁２００など）に対しブラケット６０，７０，８０を介して取り付ける外壁パネルの取付構造であって、
前記ブラケット６０，７０，８０は、
前記梁（例えば天井梁１００、床梁２００など）に固定される基部６１，７１，８１と、
前記梁（例えば天井梁１００、床梁２００など）から水平方向に離間した位置に前記外壁パネル３０（幕板３０ａ）を固定するための、前記梁（例えば天井梁１００、床梁２００など）の側面と平行な板面を有するパネル固定部６２，７２，８２と、
前記パネル固定部６２，７２，８２に垂直な板面を有して前記外壁パネル３０（幕板３０ａ）の下面に当接する下支部６４，７４，８４と、
を備え、
前記基部６１，７１，８１は、上面視又は側面視で略コ字形状に形成されており、
前記下支部６４，７４，８４は、前記基部６１，７１，８１に固定されていることを特徴とする。
【０００９】
請求項２に記載の発明によれば、ブラケット６０，７０，８０を用いることで、外壁パネル３０（幕板３０ａ）を梁（例えば天井梁１００、床梁２００など）から離間させた任意の配置に設置することができる。
このような外壁パネルの取付構造であれば、建物の外壁（外壁パネル３０、幕板３０ａ）の一部を前方に突出させて、他の外壁よりも膨らんで見えるように建物外観の印象に変化をつけることができる。
また、外壁パネル３０（幕板３０ａ）を梁（例えば天井梁１００、床梁２００など）か
ら離間させたことで、外壁パネル３０（幕板３０ａ）の裏側に断熱材などを充填するための空隙を形成することもできる。
そして、上面視又は側面視で略コ字形状によって基部６１，７１，８１の剛性を高めることができ、外壁パネル３０（幕板３０ａ）をより安定した状態で取り付けることが可能になる。
さらに、基部６１，７１，８１に固定した下支部６４，７４，８４で外壁パネル３０（幕板３０ａ）を支えることができるので、梁（例えば天井梁１００、床梁２００など）にブラケット６０，７０，８０を介して取り付けた外壁パネル３０（幕板３０ａ）の姿勢を安定させることができる。
【００１０】
請求項３に記載の発明は、例えば図１１〜図１３、図１６、図１７に示すように、
請求項２に記載の外壁パネルの取付構造において、
前記下支部７４，８４は、前記基部７１，８１から垂下して形成されていることを特徴とする。
【００１１】
請求項３に記載の発明によれば、基部７１，８１から垂下した下支部７４，８４で外壁パネル３０（幕板３０ａ）を支えることができるので、梁（例えば天井梁１００、床梁２００など）にブラケット７０，８０を介して取り付けた外壁パネル３０（幕板３０ａ）の姿勢を安定させることができる。
【００１２】
請求項４に記載の発明は、例えば図１１〜図１３、図１６に示すように、
請求項３に記載の外壁パネルの取付構造において、
前記基部６１の下部に固定される第２ブラケット７０をさらに備え、
前記第２ブラケット７０は、前記基部６１に固定される第２基部７１と、
前記第２基部７１に固定されて、前記床梁２００から離間した位置に固定される幕板３０ａの下面に当接する第２下支部７４と、
を備え、
前記第２基部７１は、側面視で略コ字形状に形成されていることを特徴とする。
【００１３】
請求項４に記載の発明によれば、基部６１の下部に固定される第２ブラケット７０を用いることで、外壁パネル３０（幕板３０ａ）を梁（例えば天井梁１００、床梁２００など）から離間させた任意の配置に設置することができる。
そして、側面視で略コ字形状によって第２基部７１の剛性を高めることができ、外壁パネル３０（幕板３０ａ）をより安定した状態で取り付けることが可能になる。
さらに、第２基部７１に固定した下支部７４で外壁パネル３０（幕板３０ａ）を支えることができるので、梁（例えば天井梁１００、床梁２００など）にブラケット６０及び第２ブラケット７０を介して取り付けた外壁パネル３０（幕板３０ａ）の姿勢を安定させることができる。
【００１４】
請求項５に記載の発明は、例えば図１６に示すように、
請求項４に記載の外壁パネルの取付構造において、
前記第２基部７１には、当該第２基部の各面に垂直な板面を有する補強板部７１２が固定されていることを特徴とする。
請求項５に記載の発明によれば、各面に垂直な板面を有する補強板部７１２の固定によって、第２基部７１の剛性をさらに高めることができる。
【００１５】
請求項６に記載の発明は、例えば図１６に示すように、
請求項４又は５に記載の外壁パネルの取付構造において、
前記第２基部７１は、上面より下面が短く、
前記第２下支部７４は、側面視にて略Ｚ字形状に形成されており、当該第２下支部７４の上面部が前記第２基部７１の下面に固定されていることを特徴とする。
請求項６に記載の発明によれば、第２基部７１は、上面より下面が短く、第２下支部７４は、側面視にて略Ｚ字形状に形成されており、その側面視にて略Ｚ字形状に形成された第２下支部７４の上面部が第２基部７１の下面に固定されているので、第２ブラケット７０を軽量化することができる。
【発明の効果】
【００１６】
本発明によれば、外壁パネルを梁から離間させた任意の配置に設置することができる。
【図面の簡単な説明】
【００１７】
【図１】本実施形態１の建物を示す正面図である。
【図２】本実施形態１の建物を示す右側面図である。
【図３】外壁パネルの取付構造を示す断面図である。
【図４】幕板の取付構造を示す断面図である。
【図５】ブラケットの一実施形態を示す説明図であり、側面図（ａ）、正面図（ｂ）である。
【図６】ブラケットの一実施形態を示す説明図であり、側面図（ａ）、正面図（ｂ）、上面図（ｃ）である。
【図７】ブラケットの一実施形態を示す説明図であり、側面図（ａ）、正面図（ｂ）、上面図（ｃ）である。
【図８】実施形態２のユニット式建物の一階を示す平面図である。
【図９】実施形態２のユニット式建物の二階を示す平面図である。
【図１０】実施形態２のユニット式建物の二階のユニット配置に関する説明図である。
【図１１】外壁パネルと幕板の取付構造を示す断面図である。
【図１２】外壁パネルと幕板の取付構造を示す断面図である。
【図１３】外壁パネルと幕板の取付構造を示す断面図である。
【図１４】ブラケットの一実施形態を示す説明図であり、側面図（ａ）、正面図（ｂ）、上面図（ｃ）である。
【図１５】ブラケットの一実施形態を示す説明図であり、側面図（ａ）、正面図（ｂ）、上面図（ｃ）である。
【図１６】ブラケットの一実施形態を示す説明図であり、側面図（ａ）、正面図（ｂ）、上面図（ｃ）である。
【図１７】ブラケットの一実施形態を示す説明図であり、側面図（ａ）、正面図（ｂ）、上面図（ｃ）である。
【図１８】ブラケットの一実施形態を示す説明図であり、側面図（ａ）、正面図（ｂ）、上面図（ｃ）である。
【発明を実施するための形態】
【００１８】
以下、図面を参照して、本発明に係る外壁パネルの取付構造の実施形態について詳細に説明する。
【００１９】
（実施形態１）
図１は建物５を示す正面図であり、図２はその建物５の右側面図である。
概略的に説明すると、この建物５は、例えば工場で生産された直方体フレーム状の複数の一階建物ユニットを建築現場の基礎上で水平方向に配置し、さらに一階建物ユニット上に同様の二階建物ユニット、二階建物ユニット上に同様の三階建物ユニットを配置して家屋本体を形成し、さらに三階建物ユニット上に屋根を配置することで建てられている。なお、図示はしないが、一階建物ユニットはアンカーボルトを介して基礎に接合されている。
これらの建物ユニットは、例えば、長方形の四隅に相当する位置に立設された四本の柱と、隣接する柱の下端部同士を連結する四本の下梁（床梁）と、隣接する柱の上端部同士を連結する四本の上梁（天井梁）とを骨組みしてなる箱型のフレームを有する。この箱型のフレームの下面側に床、フレームの上面側に天井、フレームの側面側に壁が工場において組み付けられて、略直方体状の建物ユニットが形成される。
【００２０】
図１、図２に示すように、建物５は、切妻屋根部１と陸屋根部２とからなる屋根と、屋根の下方に位置する三階建ての家屋本体と、を備えている。
切妻屋根部１の端部には破風板１ａが設けられており、破風板１ａよりも下方であって、破風板１ａに囲まれた位置には二等辺三角形状に形成された妻壁部１ｂが設けられている。妻壁部１ｂは、破風板１ａの端面よりも屋内側に後退した位置に配置されている。
切妻屋根部１は、正面視において二階外壁３ａの幅よりも小さく設定されるとともに、二階外壁３ａと妻壁部１ｂとの間に、下側陸屋根部側に連続する笠木１ｃが設けられている。
家屋正面側における一階左側の外壁３ｂと二階外壁３ａとが略Ｌ字状を成すように一体化されて正面外壁３とされている。略Ｌ字状の正面外壁３は、一階中央から右側にかけての外壁３ｃと、切妻屋根部１の妻壁部１ｂよりも前方に突出した“ふかし壁”とされている。また、正面外壁３の二階部分中央には複数の縦格子材を備えた屋外格子壁３ｄが設けられており、屋外格子壁３ｄの屋内側には、複数の窓が設けられている。
【００２１】
この建物５の二階外壁３ａを例に、外壁パネルの取付構造について説明する。
二階外壁３ａを構成する外壁パネル３０は、図３に示すように、外壁パネル３０の上部が二階建物ユニットの天井梁１００に対しブラケット１０を介して取り付けられており、外壁パネル３０の下部が二階建物ユニットの床梁２００に対しブラケット２０を介して取り付けられている。
ブラケット１０は、天井梁１００の長手方向に所定間隔をあけて複数取り付けられている。同様にブラケット２０は、床梁２００の長手方向に所定間隔をあけて複数取り付けられている。
【００２２】
また、図４に示すように、二階建物ユニットの上には小屋パネルが配置されており、その小屋パネルの梁３００に対しブラケット４０を介して幕板３０ａが取り付けられている。この幕板３０ａは二階外壁３ａを構成する外壁パネルであり、幕板３０ａと外壁パネル３０は面一となるように取り付けられている。
ブラケット４０は、梁３００の長手方向に所定間隔をあけて複数取り付けられている。
【００２３】
ブラケット１０は、図５（ａ）（ｂ）に示すように、天井梁１００の側面に固定される基部１１と、天井梁１００から水平方向に離間した位置に外壁パネル３０を固定するためのパネル固定部１２と、基部１１とパネル固定部１２とを繋ぐブラケット本体１３を備えている。
基部１１は、天井梁１００の側面に接する板面を有している。基部１１は溶接によって天井梁１００の側面に固定される。
パネル固定部１２は、天井梁１００の側面と平行な板面を有している。パネル固定部１２には、ブラケット１０に外壁パネル３０を固定する際にボルトを挿通させる長穴１２ａが設けられている。
ブラケット本体１３は、水平に配された姿勢でパネル固定部１２に垂直な板面を有する水平板部１３ａと、水平板部１３ａとパネル固定部１２のそれぞれに垂直な板面を有する垂直板部１３ｂとを備えている。
このブラケット１０は、例えば鋼板を折曲加工して、基部１１と水平板部１３ａとパネル固定部１２を一体に成型したものに、垂直板部１３ｂを溶接にて接合してなる部材である。
【００２４】
ブラケット２０は、図６（ａ）（ｂ）（ｃ）に示すように、床梁２００の側面に固定される基部２１と、床梁２００から水平方向に離間した位置に外壁パネル３０を固定するためのパネル固定部２２と、基部２１とパネル固定部２２とを繋ぐブラケット本体２３と、外壁パネル３０の下面に当接する下支部２４を備えている。
基部２１は、床梁２００の側面に接する板面を有している。基部２１には、ブラケット２０を床梁２００に固定する際にボルトを挿通させるボルト穴２１ａが設けられている。
パネル固定部２２は、床梁２００の側面と平行な板面を有している。パネル固定部２２には、ブラケット２０に外壁パネル３０を固定する際にボルトを挿通させるボルト穴２２ａが設けられている。
ブラケット本体２３は、上面視にて略コ字形状を呈するように鋼板を折曲加工してなる部材である。
下支部２４は、側面視にて略Ｌ字形状を呈するように鋼板を折曲加工してなる部材であり、パネル固定部２２に垂直な板面を有している。
このブラケット２０は、基部２１とパネル固定部２２とブラケット本体２３と下支部２４を溶接にて一体に接合してなる部材である。
【００２５】
ブラケット４０は、図７（ａ）（ｂ）（ｃ）に示すように、梁３００の側面に固定される基部４１と、梁３００から水平方向に離間した位置に幕板３０ａを固定するためのパネル固定部４２と、基部４１とパネル固定部４２とを繋ぐブラケット本体４３を備えている。
このブラケット４０は、基部４１が設けられている第１ブラケット４０ａと、パネル固定部４２が設けられている第２ブラケット４０ｂとで構成されている。
第１ブラケット４０ａは、基部４１と垂直な接合面部４３１を形成するように折曲した鋼板に、基部４１と接合面部４３１のそれぞれに垂直に接する補強板部４３２を溶接してなる部材である。
第２ブラケット４０ｂは、パネル固定部４２と垂直な接合面部４３３を形成するように折曲した鋼板に、パネル固定部４２と接合面部４３３のそれぞれに垂直に接する補強板部４３４を溶接してなる部材である。
そして、第１ブラケット４０ａの接合面部４３１と第２ブラケット４０ｂの接合面部４３３を溶接にて一体に接合して、ブラケット４０が形成されている。
【００２６】
基部４１は、梁３００の側面に接する板面を有している。基部４１には、ブラケット４０を梁３００に固定する際にボルトを挿通させるボルト穴４１ａが設けられている。
パネル固定部４２は、梁３００の側面と平行な板面を有している。パネル固定部４２には、ブラケット４０に幕板３０ａを固定する際にボルトを挿通させるボルト穴４２ａが設けられている。
ブラケット本体４３は、第１ブラケット４０ａの接合面部４３１および補強板部４３２と、第２ブラケット４０ｂの接合面部４３３および補強板部４３４とで構成されている。第２ブラケット４０ｂの接合面部４３３には、ブラケット４０を梁３００の上面に固定する際にボルトを挿通させるボルト穴４３ａが設けられている。このブラケット本体４３では、接合面部４３１と接合面部４３３が水平板部、補強板部４３２と補強板部４３４が垂直板部として機能する。
【００２７】
このように、ブラケット１０，２０を用いることで、外壁パネル３０を梁（天井梁１００、床梁２００）から離間させた任意の配置に設置することができる。また、ブラケット４０を用いることで、幕板３０ａを梁３００から離間させた任意の配置に設置することができる。
このような外壁パネルの取付構造であれば、建物５の正面外壁３（二階外壁３ａ）を妻壁部１ｂよりも前方に突出させた“ふかし壁”とするように、建物外観の印象に変化をつけることができる。また、外壁パネル３０や幕板３０ａを梁から離間させたことで、外壁パネル３０や幕板３０ａの裏側に断熱材を充填するための空隙を形成することもできる。
【００２８】
特に、この建物５における“ふかし壁”とされた二階外壁３ａを構成する幕板３０ａの上端側であって、その幕板３０ａよりも屋内側にある妻壁部１ｂの外壁パネル３０ｂの前面側には、図４に示すように、幕板３０ａよりも屋外側に延在する水切り材６が設けられている。
水切り材６は、幕板３０ａの上部に設けられた防腐合板６ａの上に載置され、妻壁部１ｂの外壁パネル３０ｂの下部前面に設けられた押縁合板６ｂに突き当てるように設けられている。なお、幕板３０ａと外壁パネル３０ｂの間には防水パッキン７が配設されている。
この水切り材６を覆うように笠木１ｃが設けられている。笠木１ｃは、外壁パネル３０ｂの下部前面に設けられた押縁合板６ｃに突き当てるように固定されたカバー６ｄと、そのカバー６ｄを支持するカバー受け金物６ｅとによって二階外壁３ａと妻壁部１ｂの間に取り付けられている。
【００２９】
このように、妻壁部１ｂよりも前方に突出させた幕板３０ａの上端側に、幕板３０ａよりも屋外側に延在する水切り材６を設けたことで、その段差部分に雨水が溜まり難くなっている。
そして、妻壁部１ｂの表面を流れ落ちる雨水は二階外壁３ａの表面側へ流れるように導かれるので、外壁パネル３０ｂと幕板３０ａの隙間から雨水を建物５内に浸入させ難い構造にすることができる。
【００３０】
（実施形態２）
次に、本発明に係る外壁パネルの取付構造の実施形態２について説明する。なお、実施形態１と同様の構成については、同符号を付して説明を割愛する。
【００３１】
図８、図９において符号１００１は、複数階建てのユニット式建物を示す。このユニット式建物１００１は、複数の建物ユニットを組み合わせてなる建物本体１００２と、当該建物本体１００２の上部に設けられる屋根とを備える。
建物本体１００２は、複数の建物ユニットを上下・左右・前後に組み合わせて形成されるものである。
また、下階に設けられる建物ユニットは、図示はしないが、アンカーボルトを介して基礎に接合される。
建物ユニットは、前述したように、長方形の四隅に相当する位置に立設された四本の柱と、隣接する柱の下端部同士を連結する四本の床梁（下梁）と、隣接する柱の上端部同士を連結する四本の天井梁（上梁）とを骨組みしてなる箱型のフレームを有しており、この箱型のフレームの下面側に床、フレームの上面側に天井、フレームの側面側に壁が工場において組み付けられ、その状態で現場に輸送される。
なお、図８、図９において外壁や内壁の内部に表れる四角形状の表示が建物ユニットの柱とされている。
【００３２】
続いて、ユニット式建物１００１の間取りについて説明する。なお、図８、図９の紙面において上が北、下が南、左が西、右が東とされている。
図８は複数階建てのユニット式建物１００１の一階を示し、図９は二階を示している。図１０はユニット式建物１００１の二階のユニット配置を示している。また、図示はしないが、ユニット式建物１００１は三階を有する。
【００３３】
一階の中央南側には、玄関ポーチ１００３が配設されている。
玄関ポーチ１００３の西側には、ユニット式建物１００１の南西コーナー部に相当する部分の柱が取り除かれた状態のピロティ１００４が配設されている。なお、当該ピロティ１００４の床はウッドデッキとなっている。
玄関ポーチ１００３の東側には、ユニット式建物１００１の南東コーナー部に相当する部分の柱が取り除かれた状態のカーポート出入口１００５が配設されている。当該カーポート出入口１００５の北側にはカーポート１００６が配設されている。
【００３４】
玄関ポーチ１００３およびピロティ１００４の北側であって、かつカーポート１００６の西側には、ユニット式建物１００１の屋内空間がある。当該屋内空間における玄関ポーチ１００３の北側には玄関土間および玄関ホールを含む玄関１００７が配設されている。また、当該玄関１００７には、一階と二階とを行き来するための階段１００７ａが設けられている。
玄関１００７の北側から西側にかけて、平面視略Ｌ字状に形成された多目的広場としてのプラザ１００８が配設されている。プラザ１００８の周囲の外壁には窓が複数設けられており、当該窓を開放することによって、プラザ１００８を屋外に開けた開放的な空間として人に認識させることができる。
【００３５】
階段１００７ａを上がった先には、二階の中央に位置するホール１００９が配設されている。ホール１００９の南側には、浴室・洗面所・トイレを有するサニタリー１０１０が配設されている。また、当該サニタリー１０１０の南側には、バルコニー１０１０ａが配設されている。
ホール１００９の北側にはキッチン１０１１が配設されている。また、当該キッチン１０１１、ホール１００９、サニタリー１０１０、バルコニー１０１０ａの西側には、リビングルームとダイニングルームの機能を一室に併存させた部屋１０１２が配設されている。また、当該部屋１０１２の西側にはバルコニー１０１２ａが配設されている。
ホール１００９、サニタリー１０１０、バルコニー１０１０ａ、キッチン１０１１の東側には主寝室１０１３が配設されている。また、当該主寝室１０１３の東側にはバルコニー１０１３ａが配設されており、当該主寝室１０１３の北側部分は畳スペース１０１３ｂとされている。
【００３６】
バルコニー１０１２ａの北側および南側には部屋１０１２のための収納部１０１２ｂ，１０１２ｂが設けられる。これらバルコニー１０１２ａおよび収納部１０１２ｂ，１０１２ｂは建物本体１００２の一階の西側端部よりも外側に張り出しており、オーバーハングした状態となっている。
バルコニー１０１３ａの北側および南側には主寝室１０１３のための収納部１０１３ｃ，１０１３ｃが設けられる。これらバルコニー１０１３ａおよび収納部１０１３ｃ，１０１３ｃは建物本体１００２の一階の東側端部よりも外側に張り出しており、オーバーハングした状態となっている。
これらオーバーハング部分を構成する建物ユニットとしては、通常の建物ユニットよりもサイズが小さく設計され、かつ隣接する建物ユニット２０００に連結されるハンガーユニット２０００ａが用いられている（図９、図１０参照）。
【００３７】
このユニット式建物１００１の二階部分を例に、外壁パネルの取付構造について説明する。
図１１は、図１０のXI−XI線における断面図、図１２は、図１０のXII−XII線における断面図、図１３は、図１０のXIII−XIII線における断面図である。
【００３８】
図１１に示すように、二階の外壁を構成する外壁パネル３０は、外壁パネル３０の上部が二階建物ユニットの天井梁１００に対しブラケット５０を介して取り付けられており、外壁パネル３０の下部が二階建物ユニットの床梁２００に対しブラケット６０を介して取り付けられている。また、外壁パネル３０と面一となる幕板３０ａが、ブラケット７０を介して床梁２００に取り付けられている。幕板３０ａは建物ユニットの外壁を構成する外壁パネルである。
ブラケット５０は、天井梁１００の長手方向に所定間隔をあけて複数取り付けられている。同様にブラケット６０，７０は、床梁２００の長手方向に所定間隔をあけて複数取り付けられている。
【００３９】
図１２に示すように、二階の外壁を構成する外壁パネル３０は、外壁パネル３０の上部が二階建物ユニットの天井梁１００に対しブラケット５０を介して取り付けられており、外壁パネル３０の下部が二階建物ユニットの床梁２００に対しブラケット６０を介して取り付けられている。また、外壁パネル３０と面一となる幕板３０ａが、一階建物ユニットの天井梁４００に対しブラケット８０を介して取り付けられている。幕板３０ａは建物ユニットの外壁を構成する外壁パネルである。
ブラケット５０は、天井梁１００の長手方向に所定間隔をあけて複数取り付けられている。同様にブラケット６０は、床梁２００の長手方向に所定間隔をあけて複数取り付けられており、ブラケット８０は、天井梁４００の長手方向に所定間隔をあけて複数取り付けられている。
【００４０】
図１３に示すように、二階の外壁を構成する外壁パネル３０は、外壁パネル３０の上部が二階建物ユニットの窓台フレーム５００に対しブラケット９０を介して取り付けられており、外壁パネル３０の下部が二階建物ユニットの床梁２００に対しブラケット６０を介して取り付けられている。また、外壁パネル３０と面一となる幕板３０ａが、一階建物ユニットの天井梁４００に対しブラケット８０を介して取り付けられている。幕板３０ａは建物ユニットの外壁を構成する外壁パネルである。
なお、窓台フレーム５００は、その側面が床梁２００の側面に対応する位置となるように建物ユニットに設けられている。
また、窓台フレーム５００と外壁パネル３０の間であってブラケット９０の上側には、窓枠の取り付け箇所の段差を無くすため、外壁パネル３０の上面と高さ位置を合わせるようにセメント板５０１が設けられている。このセメント板５０１は、窓台フレーム５００の長手方向に沿って配設されている。
ブラケット９０は、窓台フレーム５００の長手方向に所定間隔をあけて複数取り付けられている。
ブラケット６０は、床梁２００の長手方向に所定間隔をあけて複数取り付けられており、ブラケット８０は、天井梁４００の長手方向に所定間隔をあけて複数取り付けられている。
【００４１】
ブラケット５０は、図１４（ａ）（ｂ）（ｃ）に示すように、天井梁１００の側面に固定される基部５１と、天井梁１００から水平方向に離間した位置に外壁パネル３０を固定するためのパネル固定部５２と、基部５１とパネル固定部５２とを繋ぐブラケット本体５３を備えている。
このブラケット５０は、基部５１が設けられている第１ブラケット５０ａと、パネル固定部５２が設けられている第２ブラケット５０ｂとで構成されている。
第１ブラケット５０ａは、基部５１と垂直な接合面部５３１を形成するように折曲した鋼板に、基部５１と接合面部５３１のそれぞれに垂直に接する補強板部５３２を溶接してなる部材である。
第２ブラケット５０ｂは、パネル固定部５２と垂直な接合面部５３３を形成するように折曲した鋼板に、パネル固定部５２と接合面部５３３のそれぞれに垂直に接する補強板部５３４を溶接してなる部材である。
そして、第１ブラケット５０ａの接合面部５３１と第２ブラケット５０ｂの接合面部５３３を溶接にて一体に接合して、ブラケット５０が形成されている。
【００４２】
基部５１は、天井梁１００の側面に接する板面を有している。基部５１には、ブラケット５０を天井梁１００に固定する際にボルトを挿通させるボルト穴５１ａが設けられている。
パネル固定部５２は、天井梁１００の側面と平行な板面を有している。パネル固定部５２には、ブラケット５０に外壁パネル３０を固定する際にボルトを挿通させる長穴５２ａが設けられている。
ブラケット本体５３は、第１ブラケット５０ａの接合面部５３１および補強板部５３２と、第２ブラケット５０ｂの接合面部５３３および補強板部５３４とで構成されている。第２ブラケット５０ｂの接合面部５３３には、ブラケット５０を天井梁１００の下面に固定する際にボルトを挿通させるボルト穴５３ａが設けられている。このブラケット本体５３では、接合面部５３１と接合面部５３３が水平板部、補強板部５３２と補強板部５３４が垂直板部として機能する。
【００４３】
ブラケット６０は、図１５（ａ）（ｂ）（ｃ）に示すように、床梁２００の側面に固定される基部６１と、床梁２００から水平方向に離間した位置に外壁パネル３０を固定するためのパネル固定部６２と、外壁パネル３０の下面に当接する下支部６４を備えている。
基部６１は、側面視にて略コ字形状を呈するように鋼板を折曲加工してなる部材である。この基部６１の端部が溶接によって床梁２００の側面に固定される。基部６１には、その下にブラケット７０を固定する際にボルトを挿通させるボルト穴６１ａが設けられている。
パネル固定部６２は、床梁２００の側面と平行な板面を有している。パネル固定部６２には、ブラケット６０に外壁パネル３０を固定する際にボルトを挿通させるボルト穴６２ａが設けられている。このパネル固定部６２は、ブラケット本体としても機能する基部６１によって床梁２００から水平方向に離間した位置に配されている。
下支部６４は、側面視にて略Ｌ字形状を呈するように鋼板を折曲加工してなる部材であり、パネル固定部６２に垂直な板面を有している。
このブラケット６０は、基部６１とパネル固定部６２と下支部６４を溶接にて一体に接合してなる部材である。
【００４４】
ブラケット７０は、図１６（ａ）（ｂ）（ｃ）に示すように、ブラケット６０を介して床梁２００に固定される基部７１と、床梁２００から水平方向に離間した位置に幕板３０ａを固定するためのパネル固定部７２と、幕板３０ａの下面に当接する下支部７４を備えている。
基部７１は、側面視にて略コ字形状を呈するように鋼板を折曲加工してなる部材である。この基部７１の上面には補強板７１１が溶接されており、ブラケット６０の下部にブラケット７０を固定する際にボルトを挿通させるボルト穴７１ａが設けられている。また、基部７１の各面に垂直な板面を有する補強板部７１２が溶接にて固定されている。
パネル固定部７２は、床梁２００の側面と平行な板面を有している。このパネル固定部７２は基部７１の側面に溶接にて固定されており、ブラケット７０に幕板３０ａを固定する際にボルトを挿通させるボルト穴７２ａが設けられている。このパネル固定部７２は、ブラケット本体としても機能する基部７１によって床梁２００から水平方向に離間した位置に配されている。
下支部７４は、側面視にて略Ｚ字形状を呈するように鋼板を折曲加工してなる部材であり、その上面部７４１が基部７１の下面に溶接にて固定されている。この下支部７４の下面部がパネル固定部７２に垂直な板面を有している。
なお、このブラケット７０は、ブラケット６０を介さずに床梁２００の下面に直接基部７１を取り付けるように固定することもできる。
【００４５】
ブラケット８０は、図１７（ａ）（ｂ）（ｃ）に示すように、天井梁４００の側面に固定される基部８１と、天井梁４００から水平方向に離間した位置に幕板３０ａを固定するためのパネル固定部８２と、幕板３０ａの下面に当接する下支部８４を備えている。
基部８１は、上面視にて略コ字形状を呈するように鋼板を折曲加工してなる部材である。この基部８１の端部が溶接によって天井梁４００の側面に固定される。
パネル固定部８２と下支部８４は、側面視にて略Ｌ字形状を呈するように鋼板を折曲加工して一体成型された部材である。
パネル固定部８２は天井梁４００の側面と平行な板面を有しており、下支部８４はパネル固定部７２に垂直な板面を有している。
このパネル固定部８２は基部８１の側面に溶接にて固定されており、ブラケット８０に幕板３０ａを固定する際にボルトを挿通させるボルト穴８２ａが設けられている。このパネル固定部８２は、ブラケット本体としても機能する基部８１によって天井梁４００から水平方向に離間した位置に配されている。
下支部８４は、パネル固定部８２の下端に設けられている。
【００４６】
ブラケット９０は、図１８（ａ）（ｂ）（ｃ）に示すように、梁状の窓台フレーム５００の下面に固定される基部９１と、窓台フレーム５００から水平方向に離間した位置に外壁パネル３０を固定するためのパネル固定部９２を備えている。
基部９１とパネル固定部９２は、側面視にて略Ｌ字形状を呈するように鋼板を折曲加工して一体成型された部材である。
この基部９１が溶接によって窓台フレーム５００の下部に固定される。
パネル固定部９２には補強板９２１が溶接されており、ブラケット９０に外壁パネル３０を固定する際にボルトを挿通させる長穴９２ａが設けられている。
また、基部９１とパネル固定部９２に垂直な板面を有する補強板部９５が溶接にて固定されている。
【００４７】
このように、ブラケット５０，６０，９０を用いることで、外壁パネル３０を梁（天井梁１００、床梁２００）から離間させた任意の配置に設置することができる。また、ブラケット７０，８０を用いることで、幕板３０ａを床梁２００や天井梁４００から離間させた任意の配置に設置することができる。
このような外壁パネルの取付構造であれば、ユニット式建物１００１の外壁（外壁パネル３０、幕板３０ａ）の一部を前方に突出させて、他の外壁よりも膨らんで見えるように建物外観の印象に変化をつけることができる。また、外壁パネル３０や幕板３０ａを梁から離間させたことで、外壁パネル３０や幕板３０ａの裏側に断熱材を充填するための空隙を形成することもできる。
【００４８】
なお、本発明の適用は上述した実施形態に限定されることなく、本発明の趣旨を逸脱しない範囲で適宜変更可能である。
【符号の説明】
【００４９】
１      切妻屋根部
１ａ    破風板
１ｂ    妻壁部
１ｃ    笠木
２      陸屋根部
３      正面外壁
３ａ    二階外壁
３０    外壁パネル
３０ａ  幕板（外壁パネル）
３０ｂ  外壁パネル
５      建物
６      水切り材
７      防水パッキン
１０    ブラケット
１１    基部
１２    パネル固定部
１３    ブラケット本体
１３ａ  水平板部
１３ｂ  垂直板部
２０    ブラケット
２１    基部
２２    パネル固定部
２３    ブラケット本体
２４    下支部
４０    ブラケット
４１    基部
４２    パネル固定部
４３    ブラケット本体
５０    ブラケット
５１    基部
５２    パネル固定部
５３    ブラケット本体
６０    ブラケット
６１    基部
６２    パネル固定部
６４    下支部
７０    ブラケット
７１    基部
７２    パネル固定部
７４    下支部
８０    ブラケット
８１    基部
８２    パネル固定部
８４    下支部
９０    ブラケット
９１    基部
９２    パネル固定部
１００  天井梁
２００  床梁
３００  梁
４００  天井梁
５００  窓台フレーム
１００１  ユニット式建物
【図１】
0006444721.tif 000002
【図２】
0006444721.tif 000003
【図３】
0006444721.tif 000004
【図４】
0006444721.tif 000005
【図５】
0006444721.tif 000006
【図６】
0006444721.tif 000007
【図７】
0006444721.tif 000008
【図８】
0006444721.tif 000009
【図９】
0006444721.tif 000010
【図１０】
0006444721.tif 000011
【図１１】
0006444721.tif 000012
【図１２】
0006444721.tif 000013
【図１３】
0006444721.tif 000014
【図１４】
0006444721.tif 000015
【図１５】
0006444721.tif 000016
【図１６】
0006444721.tif 000017
【図１７】
0006444721.tif 000018
【図１８】
0006444721.tif 000019